(57)【特許請求の範囲】
【請求項１】
画像表示手段における表示を制御する表示制御装置であって、上記画像表示手段の画面の一部を用いたウインドウ表示を上記画像表示手段に行わせることが可能な表示制御装置において、
ウインドウ内に表示すべき内容を示す表示データを格納する記憶手段と、
画面全体に表示すべき内容を示す表示データを、１水平同期期間分ずつ当該表示制御装置の外部から取り込む取込手段と、
送られてくる表示データに基づいた出力信号を上記画像表示手段に対して出力する出力手段と、
上記記憶手段からの表示データ、および上記取込手段からの表示データを切り換えて上記出力手段に送る切換手段と、
上記画像表示手段にウインドウ表示を行わせる際に、ウインドウ外を単一色表示、モザイク表示、またはブロック表示に設定するための背景設定手段とを備え、
上記出力手段が、各段に対応して設けられたＤタイプフリップフロップを有するホールドメモリを備えており、
上記背景設定手段が、上記出力手段のホールドメモリのＤタイプフリップフロップのセット／リセットを制御することにより、背景表示を担当させる段に対応するＤタイプフリップフロップに背景表示のための表示データを出力させることを特徴とする表示制御装置。
【請求項２】
請求項１に記載の表示制御装置において、
上記記憶手段が、ウインドウ内に表示すべき内容を示す表示データを複数種類格納していることを特徴とする表示制御装置。
【請求項３】
請求項１または２に記載の表示制御装置において、
上記記憶手段に格納されている表示データを書き換える書換手段を備えることを特徴とする表示制御装置。
【請求項４】
請求項１から３の何れか１項に記載の表示制御装置において、
計時手段をさらに備え、定期的に背景表示を変えることを特徴とする表示制御装置。
【請求項５】
請求項１から４の何れか１項に記載の表示制御装置において、
上記切換手段が、各水平同期期間および各段において、上記取込手段または上記記憶手段の何れからの表示データを上記出力手段へ送るかをコマンドに基づいて切り換えることを特徴とする表示制御装置。
【請求項６】
請求項１から５の何れか１項に記載の表示制御装置において、
待機モードにおいて上記取込手段の動作を停止させる取込停止手段を備えることを特徴とする表示制御装置。
【請求項７】
請求項１から６の何れか１項に記載の表示制御装置と、上記画像表示手段とを備えることを特徴とする表示装置。
【請求項８】
請求項７に記載の表示装置を備えることを特徴とする携帯電話機。
【発明の詳細な説明】
【０００１】
【発明の属する技術分野】
本発明は、ウインドウ表示可能な表示制御装置、表示装置、および携帯電話機に関するものである。
【０００２】
【従来の技術】
従来、ウインドウ表示機能を有する表示装置では、表示メモリ（ＲＡＭ）内に、表示画面の全画素に対応した表示データを格納するための第１画面領域とウインドウ表示に必要な表示データを格納するための第２画面領域とを備え、第２画面領域からウインドウ表示に必要な表示データを読み出す方式があった。第１および第２画面領域を有する表示装置は、例えば特開平７−７２８４１号公報や特開平７−７２８４４号公報に開示されている。また、これらの公報には、ウインドウの表示位置や表示サイズを設定することにより、画面上の任意の表示位置および任意の表示サイズでウインドウを表示することが開示されている。
【０００３】
図５は、上記従来の表示装置１００の構成の一例を示すブロック図である。表示装置１００は、ＭＰＵ（マイクロプロセッサユニット）１１１、ＣＲＴディスプレイ１１３、ＲＡＭ（ランダムアクセスメモリ）１１４、ＣＲＴコントローラ１１５、アドレスセレクタ１１６、ウインドウ幅信号発生回路１１７、プライオリティ回路１１８、オフセットメモリ１１９、およびアドレス加算器１２０を備えている。
【０００４】
表示装置１００では、ＣＲＴディスプレイ１１３において表示すべき表示データがＲＡＭ１１４に格納されており、ＣＲＴコントローラ１１５の制御によりＲＡＭ１１４からＣＲＴディスプレイ１１３へ表示データが送られ、その表示データに基づいた表示が行われる。
【０００５】
ここで、ＲＡＭ１１４はＣＲＴディスプレイ１１３の２画面分の容量を有しており、その第１画面領域は主表示に用いられ、第２画面領域はウインドウ表示に用いられる。なお、ウインドウ幅信号発生回路１１７、プライオリティ回路１１８、オフセットメモリ１１９、およびアドレス加算器１２０は、ウインドウ表示のための機能ブロックであり、ウインドウ幅等のウインドウの表示状態を設定するためのものである。ウインドウを含む表示画面の制御はＭＰＵ１１１によって制御される。
【０００６】
【発明が解決しようとする課題】
上記特開平７−７２８４１号公報および特開平７−７２８４４号公報には、ＣＲＴディスプレイ１１３を用いた表示装置が開示されているが、他に液晶表示パネルを用いた表示装置も考えられる。液晶表示パネルは、消費電力が比較的少ないという特徴を生かし、携帯電話機における表示部に利用されている。携帯電話機の表示部として用いられる液晶パネルの表示品位は、年々高品位化へのニーズが強くなってきており、これにともなってカラー表示による多階調表示や、高画素数化等が追求されている。また、電池駆動である携帯電話機では、充電後の通話可能時間および待機時間を延ばすため、液晶表示装置全体としてのさらなる低消費電力化も追求されている。
【０００７】
ここで、カラー表示による多階調表示および高画素数化による表示メモリヘの影響を考察する。例えば、ＴＦＴ方式の液晶パネルにおいて、ｍ＝９６本のソース電極およびｎ＝６４本のゲート電極を有し、９６本のソース電極をＲ（赤）、Ｇ（緑）、Ｂ（青）各データ用に３種類に区別して各色データごとに３２本のソース電極を割り当てる場合を考える。そして、Ｒデータで８階調、Ｇデータで８階調、Ｂデータで４階調の表示を行うものとすると、８階調表示には３ビット、４階調表示には２ビットの表示データが必要であることから、全画面表示のためには合計（３＋３＋２）×３２×６４＝約１６キロビットの表示データが必要になる。したがって、上述したように表示メモリに第１および第２画面領域を有する表示装置を構成する場合には、第１画面領域として約１６キロビットの容量が必要になる。さらに、第２画面領域については表示するウインドウの大きさによるが、例えば、Ｍ＝４８本（各色１６本）のソース電極およびＮ＝１６のゲート電極を利用してウインドウを表示するとすれば、第２画面領域として（３＋３＋２）×１６×１６＝約２キロビットの容量が必要になる。
【０００８】
表示品位のさらなる高品位化に向けてカラー表示による多階調表示や、高画素数化がさらに進むと、表示メモリの容量をさらに大容量化しなくてはならなくなる。現状でも、この表示メモリとしてのＲＡＭがソースドライバチップに占める割合は大きく、チップサイズの半分以上を占めている。今後、例えば、ソース電極数がｍ＝１６８（各色５６本）、ゲート電極数がｎ＝８０、ＲＧＢ各色の表示が２５６階調（８ビットの表示データ）となれば、表示メモリにおける第１画面領域として（８＋８＋８）×５６×８０＝約１０７キロビットの容量が必要となり、現状の容量（約１６キロビット）の約７倍となる。
【０００９】
これに対して、表示メモリとしてのＲＡＭの占めるサイズを小さくするために表示メモリ部の微細化を進めることが考えられる。ここで、ソースドライバは、低電圧（例えば５Ｖ）で駆動されるロジック部（後述する図１におけるインターフェイス入出力回路２２やデータラッチ回路３０等）と、高電圧（例えば１０Ｖ）で駆動されるアナログ回路（後述する図１における出力回路４６等）とが１チップ内に混在している。このため、表示メモリ部のみの微細化は製造上、整合性が悪い。
【００１０】
また、上記のように１０７キロビット程度にまで表示メモリが大容量化すると、表示メモリ部で消費される電力も無視できなくなる。
【００１１】
ここで、携帯電話機の表示部の使用状況を考えると、携帯電話機を使用しない待機モードの際には、消費電力を低減するためにウインドウ外の領域を例えば白色の背景画像にした上で、ウインドウ表示として、例えば、日付や時計、受信状況、メールの有無等が表示されていることが多い。したがって、このような使用状況を考慮した表示方法を採用し、ソースドライバ等をその表示方法に適した構成とすることが望ましい。
【００１２】
本発明は、この点に鑑みてなされたものであり、その目的は、ソースドライバ等の表示制御装置の小型化、低消費電力化を図るとともに、この表示制御装置を備えた表示装置、およびこの表示装置を備えた携帯電話機の小型化、低消費電力化を図ることにある。
【００１３】
【課題を解決するための手段】
本発明に係る表示制御装置は、画像表示手段における表示を制御する表示制御装置であって、上記画像表示手段の画面の一部を用いたウインドウ表示を上記画像表示手段に行わせることが可能な表示制御装置において、上記の課題を解決するために、ウインドウ内に表示すべき内容を示す表示データを格納する記憶手段と、画面全体に表示すべき内容を示す表示データを、１水平同期期間分ずつ当該表示制御装置の外部から取り込む取込手段と、送られてくる表示データに基づいた出力信号を上記画像表示手段に対して出力する出力手段と、上記記憶手段からの表示データ、および上記取込手段からの表示データを切り換えて上記出力手段に送る切換手段と、上記画像表示手段にウインドウ表示を行わせる際に、ウインドウ外を単一色表示、モザイク表示、またはブロック表示に設定するための背景設定手段とを備え、上記出力手段が、各段に対応して設けられたＤタイプフリップフロップを有するホールドメモリを備えており、上記背景設定手段が、上記出力手段のホールドメモリのＤタイプフリップフロップのセット／リセットを制御することにより、背景表示を担当させる段に対応するＤタイプフリップフロップに背景表示のための表示データを出力させることを特徴とする。
【００１４】
上記の構成では、外部から例えば周期的に送られてくる表示データを取込手段にて取り込み、取込手段が取り込んだ表示データを切換手段が出力手段に送ることにより、画像表示手段において画面全体の表示を行うことができる。また、記憶手段に記憶されている表示データを切換手段が出力手段に送ることにより、画像表示手段においてウインドウ表示を行うことができる。
【００１５】
この構成では、画面全体に表示すべき内容を示す表示データを外部から取り込むため、この表示データを格納するための大容量のメモリ等が不要になる。したがって、本表示制御装置を例えばチップ上に形成した場合でも、そのチップの大型化を抑えることができる。また、大容量のメモリ等が不要になると、その分メモリ等で消費される電力の低減を図ることができる。
【００１６】
また、ウインドウ内に表示すべき内容を示す表示データを内部の記憶手段に格納しているため、外部から表示データが周期的に送られて来ないような場合にも、記憶手段に格納されている表示データを用いてウインドウ表示を行うことができる。したがって、本表示制御装置の周辺装置が例えば待機モード等に設定されてその機能が一部停止した場合でも、例えば必要最小限の内容をウインドウ内に表示することができる。
さらに、単一色表示、モザイク表示、またはブロック表示は、比較的単純で小規模な回路構成により実現することが可能である。したがって、上記の構成では、回路規模の顕著な大型化を招来することなく、ウインドウ表示の際にウインドウ外を所定の表示状態とすることができる。
【００１７】
本発明に係る表示制御装置は、上記の表示制御装置において、さらに、上記記憶手段が、ウインドウ内に表示すべき内容を示す表示データを複数種類格納していることが好ましい。上記の構成では、上記表示データの種類を変更することでウインドウ内の表示を変更することができる。
【００１８】
本発明に係る表示制御装置は、上記の表示制御装置において、さらに、上記記憶手段に格納されている表示データを書き換える書換手段を備えることが好ましい。上記の構成では、ウインドウ内に表示される内容を例えば定期的に変更することができる。
【００２０】
本発明に係る表示制御装置は、上記の表示制御装置において、さらに、待機モードにおいて上記取込手段の動作を停止させる取込停止手段を備えることが好ましい。上記の構成では、画像表示手段においてウインドウ表示を行わせる際に、取込手段による表示データの取り込みを取込停止手段により停止させることで、不要な表示データの取り込みによる電力消費を削減することができる。
【００２１】
本発明に係る表示装置は、上記の課題を解決するために、上記表示制御装置と、上記画像表示手段とを備えることを特徴としている。上記の構成では、上述した効果により表示装置の小型化、小電力化を図ることができる。
【００２２】
また、本発明に係る携帯電話機は、上記の表示装置を備えることを特徴としている。上記の構成では、携帯電話機の小型化および小電力化を図りつつ、操作時等では全画面表示を行ってより多くの情報が表示可能となり、待ち受け時等ではウインドウ表示を行って必要最小限の情報は表示可能となる。
【００２３】
【発明の実施の形態】
本発明の実施の一形態について図１から図４に基づいて説明すれば、以下の通りである。
【００２４】
図１は、本実施形態の液晶表示装置（ＴＦＴ液晶モジュール）１の構成を表すブロック図である。なお、図１では主な構成要素および信号経路のみを図示し、例えば、電源回路や、クロック信号、リセット信号、リード信号、ライト信号、セレクト信号等の一部の信号の信号経路については省略している。
【００２５】
液晶表示装置１は、液晶パネル１０、ソースドライバ（ＴＦＴ液晶ドライバ）１２、ゲートドライバ１４、およびＭＰＵ（マイクロプロセッサユニット）１６を含んでいる。液晶パネル１０は、ｍ本のソース電極およびｎ本のゲート電極にて形成される水平方向ｍ画素×垂直方向ｎ画素のＴＦＴ（薄膜トランジスタ）方式の画素を有する液晶パネルであり、全画面の一部にウインドウＷを表示することができる。なお、以下では水平方向１ラインの画素の配列を「行」と称し、垂直方向１ラインの画素の配列を「列」と称する。ここでは、ｍ＝１６８，ｎ＝８０であり、各画素において第０階調〜第２５５階調の２５６階調（８ビット）の階調表示を行うものとする。なお、各行には、Ｒ（赤），Ｇ（緑），Ｂ（青）それぞれを表示する画素が繰り返し配列されているものとする。したがって、各行にはＲＧＢの各画素がそれぞれ５６画素含まれていることになる。液晶パネル１０には、ソースドライバ１２およびゲートドライバ１４が接続されており、ソースドライバ１２およびゲートドライバ１４はＭＰＵ１６と接続されている。
【００２６】
ソースドライバ１２は、ＲＡＭ（ランダムアクセスメモリ）にて構成される表示メモリ（ウインドウ表示メモリ）Ｕを内蔵するものである。この表示メモリＵは、水平方向Ｍ画素×垂直方向Ｎ画素分の表示データを格納できるものである。ここでは、Ｍ＝４２，Ｎ＝２０であり、上記のように各画素に対応する表示データにより２５６階調（８ビット）を表現することができるものとする。したがって、表示メモリＵは、４２×２０×８＝約８キロビットの容量を有している。
【００２７】
ソースドライバ１２は、さらに、上記表示メモリＵの周辺回路部１８、ソースドライバ部２０、入出力回路２２を含んでいる。周辺回路部１８は、コマンドデコーダ２４、Ｘアドレスデコーダ（カラムデコーダ）２６、およびＹアドレスデコーダ（ロウデコーダ）２８を含んでいる。ソースドライバ部２０は、データラッチ回路３０、基準電圧発生回路３２、シフトレジスタ３４、サンプリングメモリ３６、表示切換回路３８、ホールドメモリ４０、レベルシフタ４２、Ｄ／Ａ変換回路４４、および出力回路４６を含んでいる。
【００２８】
ソースドライバ部２０では、後述するように表示画面の全画面表示に必要な全画面表示データＤ１、またはウインドウＷの表示に必要なウインドウ表示データＤ２が表示切換回路３８にて切り換えられてホールドメモリ４０に入力される。このホールドメモリ４０に入力される表示データは、液晶パネル１０における各行に含まれる第１〜第ｍの画素、つまり第１〜第ｍのソース電極にそれぞれ対応している。ホールドメモリ４０に入力された表示データは、水平同期信号Ｈによりラッチがかけられ、次の水平同期信号Ｈが入力されるまでホールドメモリ４０から出力される表示データは固定される。ホールドメモリ４０から出力される表示データは、レベルシフタ４２で次段のＤ／Ａ変換回路４４の信号処理レベルに合わせるための昇圧等のレベル変換が施され、Ｄ／Ａ変換回路４４に入力される。
【００２９】
基準電圧発生回路３２には、例えば、画素に付与すべき電位の最大電位Ｅ１および最小電位Ｅ２が図示しない電源回路から入力される。基準電圧発生回路３２は、最大電位Ｅ１と最小電位Ｅ２との電位差を内部で分圧することにより、２５６階調の階調表示の場合、２５６種類の階調表示用電位を発生し、Ｄ／Ａ変換回路４４に対して出力する。Ｄ／Ａ変換回路４４では、レベルシフタ４２からの表示データに応じた階調表示用電位を上記２５６種類の階調表示用電位の中から画素ごとに１つ選択し、出力回路４６に対して出力する。出力回路４６は差動増幅器等からなる低インピーダンス変換部であり、出力回路４６から液晶パネル１０の第１〜第ｍのソース電極それぞれに対して、Ｄ／Ａ変換回路４４で選択された階調表示用電位が付与される。この階調表示用電位は、水平同期信号Ｈの１周期、つまり１水平同期期間維持され、次の水平同期期間は新たな表示データに応じた階調表示用電位が出力される。
【００３０】
一方、ゲートドライバ１４は、シフトレジスタ４８、レベルシフタ５０、および出力回路５２を含んでいる。ゲートドライバ１４では、シフトレジスタ４８に水平同期信号Ｈおよび垂直同期信号Ｖが入力され、水平同期信号Ｈをクロックとして垂直同期信号Ｖをシフトレジスタ４８内の各段で順次転送させる。シフトレジスタ４８の各段からの出力は、液晶パネル１０における各列に含まれる第１〜第ｎの画素、つまり第１〜第ｎのゲート電極にそれぞれ対応している。シフトレジスタ４８の各段からの出力は、レベルシフタ５０でレベル変換されることにより各画素が有するＴＦＴのゲートを制御できる電圧まで昇圧され、出力回路５２で低インピーダンス変換されて、出力回路５２から液晶パネル１０の第１〜第ｎのゲート電極それぞれに対して出力される。このゲートドライバ１４からの出力が走査信号となり、液晶パネル１０の各画素のＴＦＴのゲートのオン／オフを制御する。
【００３１】
これにより、走査信号で選択された１本のゲート電極にゲートが接続されているＴＦＴがオンされる。そして、１水平同期期間ごとにゲート電極が順次選択されることで、オンされるＴＦＴを有する画素が順次垂直方向に移動する。走査信号により選択されてＴＦＴがオンされた画素では、その画素に備えられた画素容量にソース電極から階調表示用電位が付与されることで、その電位に応じて画素容量が充電され、ＴＦＴがオフとなると画素容量にて電位が保持されることで画素における階調表示がなされる。
【００３２】
ＭＰＵ１６は、ソースドライバ１２と接続されており、ソースドライバ１２に対して、垂直同期信号Ｖ、水平同期信号Ｈ、スタートパルス信号Ｓ、表示データ（全画面表示データＤ１およびウインドウ表示データＤ２）および制御信号Ｃを送る。
【００３３】
ここで、ソースドライバ１２の入出力回路２２には、表示データのうちウインドウＷの表示に必要なウインドウ表示データＤ２と、制御信号ＣとがＭＰＵ１６の制御により送られる。入出力回路２２は、ＭＰＵ１６とのインターフェイスおよび入出力バッファとして機能する。
【００３４】
ウインドウ表示データＤ２は、表示メモリＵに一旦格納される。表示メモリＵ内でウインドウ表示データＤ２が格納される番地は、制御信号Ｃが有するコマンドをコマンドデコーダ２４でデコードしたものに基づいて、Ｘアドレスデコーダ２６およびＹアドレスデコーダ２８により特定される。
【００３５】
なお、制御信号ＣはＭＰＵ１６から送られる種々のコマンドを含んでおり、各コマンドはコマンドデコーダ２４によりデコードされる。以下では、制御信号Ｃに含まれるコマンドがコマンドデコーダ２４によりデコードされたものを単に「コマンド」と称する。
【００３６】
次に、ソースドライバ１２の動作について説明する。まず、通常モード（全画面表示）について説明する。通常モード時には、ＭＰＵ１６から送られてくる全画面表示データＤ１は各画素に対応する８ビットの値を有しており、データラッチ回路３０にて一旦ラッチされる。一方、シフトレジスタ３４は、ＭＰＵ１６からスタートパルス信号Ｓを受け、そのスタートパルス信号Ｓを図示しないクロックに同期してシフトレジスタ３４内の各段で順次転送させる。なお、シフトレジスタ３４から出力回路４６までの各ブロックは、液晶パネル１０の第１〜第ｍのｍ本のソース電極に対応して第１〜第ｍのｍ段となっている。このシフトレジスタ３４の各段からの出力に同期して、データラッチ回路３０にラッチされていた全画面表示データＤ１が、サンプリングメモリ３６の対応する段に一旦記憶されるとともに、表示切換回路３８を介して、次のホールドメモリ４０の対応する段に出力される。表示切換回路３８は、コマンドデコーダ２４から送られるコマンドに基づき、通常モード時には全ての段においてサンプリングメモリ３６からの出力を選択してホールドメモリ４０に出力するように設定されている。ホールドメモリ４０は、１水平同期期間のｍ個の全画面表示データＤ１がサンプリングメモリ３６から入力されると、ＭＰＵ１６からの水平同期信号Ｈ（ラッチ信号ともいう。）により、サンプリングメモリ３６から各全画面表示データＤ１を取り込み、次のレベルシフタ４２に出力する。そして、ホールドメモリ４０は、次の水平同期信号Ｈが入力されるまで各全画面表示データＤ１を維持する。後の動作は、上述した通りである。
【００３７】
なお、ＭＰＵ１６は、全画面表示データＤ１をデータラッチ回路３０に対して繰り返し送る。これにより、液晶パネル１０に対して周期的に全画面表示データＤ１に応じた電位が書き込まれ、液晶パネル１０における液晶表示が維持される。
【００３８】
次に、待機モード（低消費電力モード）について説明する。待機モードに入ると、ＭＰＵ１６がソースドライバ１２のシフトレジスタ３４へのスタートパルス信号Ｓ、および上記シフトレジスタ３４用のクロックの出力を止め、さらにコマンドにより表示切換回路３８を切り換えて、表示切換回路３８が表示メモリＵからのウインドウ表示データＤ２を選択してホールドメモリ４０に出力するように設定する。このように、シフトレジスタ３４およびサンプリングメモリ３６の動作が停止されることで消費電力の削減を図ることができる。
【００３９】
また、ＭＰＵ１６は、制御信号Ｃにより、表示メモリＵからのウインドウ表示データＤ２の読み出しを指示するとともに、表示画面上でのウインドウＷの表示位置を決定するスタート番地を指定する。このスタート番地は、ウインドウＷの左上の角に位置する画素の表示画面上でのアドレス（ｘアドレス（カラムアドレス、液晶パネル１０の水平方向のアドレス）およびｙアドレス（ロウアドレス、液晶パネル１０の垂直方向のアドレス））である。ここでは、水平方向第ｘｉ、垂直方向第ｙｊ（以下、（ｘｉ，ｙｊ）と記す。）の画素Ｐ１のアドレスがスタート番地であるものとする。
【００４０】
ソースドライバ１２には、制御信号Ｃとしてスタート番地が入力される。そして、コマンドデコーダ２４からのコマンドにより、スタート番地に基づいた所定のタイミングでウインドウ表示データＤ２が読み出されるようにＸアドレスデコーダ２６およびＹアドレスデコーダ２８が制御される。具体的には、画素Ｐ１を含む第ｙｊのゲート電極が選択されるタイミングと同期して、ウインドウＷ内の第１の行に含まれる画素に対応するウインドウ表示データＤ２に応じた出力が出力回路４６からソース電極に出力されるように、表示メモリＵ内のウインドウ表示データＤ２が読み出される。なお、スタート番地のｘアドレスは表示切換回路３８にも送られ、スタート番地のｘアドレス以降（第ｘｉ以降）のソース電極に対してウインドウＷ内の各行に含まれる画素に対応するウインドウ表示データＤ２に応じた出力が出力されるように、表示切換回路３８の所定の段以降にウインドウ表示データＤ２が順次書き込まれる。
【００４１】
周辺回路部１８は、画素Ｐ１に対応したウインドウ表示データＤ２の出力を指示した後は、表示メモリＵのＸアドレス（カラムアドレス、液晶パネル１０の水平方向に対応）を順次インクリメントしてＭ（ここでは４２）までカウントし、Ｙアドレス（ロウアドレス、液晶パネル１０の垂直方向に対応）を順次インクリメントしてＮ（ここでは２０）までカウントする。このコマンドデコーダ２４にてカウントされたＸアドレス、Ｙアドレスに対応して格納されたウインドウ表示データＤ２が順次表示切換回路３８を介してホールドメモリ４０に対して出力される。そして、ホールドメモリ４０は水平同期信号Ｈによりこのウインドウ表示データＤ２を取り込み、次段のレベルシフタ４２に出力するとともに、次の水平同期信号Ｈが入力されるまでラッチする。後の動作は、上述した通りである。
【００４２】
なお、周辺回路部１８は、ウインドウ表示データＤ２を表示切換回路３８に対して繰り返し送る。これにより、液晶パネル１０に対して周期的にウインドウ表示データＤ２に応じた電位が書き込まれ、液晶パネル１０における液晶表示が維持される。
【００４３】
このように、ＭＰＵ１６からの制御信号Ｃに基づいてスタート番地を設定しているので、ＭＰＵ１６によりスタート番地を変更することで表示画面の任意の位置にウインドウＷを表示することが可能になる。
【００４４】
なお、表示画面のウインドウＷ外の領域（背景画面）に関しては、次のような表示が可能である。表示メモリＵからのウインドウ表示データＤ２に応じた階調表示電位が出力されていないソース電極には、背景画面の表示データとして設定された背景表示データに応じた階調表示電位が付与される。この背景表示データは、例えば、表示メモリＵから表示切換回路３８に対して出力される。この背景表示データとしては、例えば、ＲＧＢ各画素に対して第２５５階調（「１１１１１１１１」）を設定して白表示とすることができる。また、ＲＧＢ各画素に対して第０階調（「００００００００」）を設定して黒表示とすることもできる。さらに、Ｒの画素に対して第２５５階調を設定し、他のＧ，Ｂの画素に対して第０階調を設定して赤表示（緑表示および青表示についても同様）とすることもできる。
【００４５】
このような背景表示データを格納するためには、例えば、表示メモリＵの出力段に簡単なセット／リセット回路からなる背景表示データ格納部（表示メモリ内出力段）Ｕａを付加すればよい。背景表示データは、白表示または黒表示の場合「１１１１１１１１」または「００００００００」の８ビットの表示データであり、赤表示の場合でも「１１１１１１１１」および「００００００００」の１６ビットの表示データであることから、データ量が小さい。したがって、背景表示データ格納段Ｕａを付加したとしてもソースドライバ１２の大型化にはつながりにくい。
【００４６】
また、図２に示す構成により、ホールドメモリ４０により背景表示データを生成してもよい。図２は、図１の液晶表示装置１の変形例としての液晶表示装置２の構成を表すブロック図であり、図１の液晶表示装置１と同等の機能を有する構成要素には同一の記号を付記している。この場合、ホールドメモリ４０は各段に対応して設けられたＤタイプフリップフロップを有している。また、コマンドデコーダ２４とホールドメモリ４０とが、コマンドデコーダ２４からのコマンドにより背景画面の領域を設定するための背景画面領域制御回路５４を介して接続されている。この背景画面領域制御回路５４は、コマンドに基づいてホールドメモリ４０の各段におけるＤタイプフリップフロップのセット／リセットを制御し、これにより上記のような背景表示を実現することができる。例えば、背景画面を白表示に設定する場合には、常に背景画面の表示を担当するソース電極に対応するホールドメモリ４０のＤタイプフリップフロップをセットして「１」を出力するように設定すればよい。また、背景画面およびウインドウＷの両方の表示を担当するソース電極における背景画面を表示するタイミングには、そのソース電極に対応するホールドメモリ４０のＤタイプフリップフロップをセットして「１」を出力するように設定すればよい。
【００４７】
上記のように背景を一定の階調に設定する以外に、例えば、モザイク表示やブロック表示等の簡単な表示も可能である。これらの表示は、簡単なセット／リセット回路や切換回路とカウンタ回路により実現することができ、回路の制御も特に複雑なものではないため、容易に実現可能である。
【００４８】
また、ＭＰＵ１６からの制御信号Ｃが含むコマンドにより、この背景表示を任意に変化させることも容易である。さらに、表示の反転（白黒の反転）も表示データの「１」と「０」とを逆転させるだけで容易に実現できる。また、タイマー（計時手段）を設けることにより、定期的に背景表示を変えることもできる。
【００４９】
なお、これまでの説明では、通常モードでは全画面表示を行い、待機モードではウインドウ表示を行うとともにウインドウＷ外の領域を背景表示としていたが、例えば通常モードにおいて全画面表示に重ねてウインドウＷを表示してもよい。このような表示を行う場合には、各水平同期期間および各段において、サンプリングメモリ３６または表示メモリＵの何れからの表示データをホールドメモリ４０へ送るかを表示切換回路３８がコマンドに基づいて切り換えればよい。そして、ウインドウＷ外の領域の画素に対してはサンプリングメモリ３６からの全画面表示データＤ１に応じた階調表示電位が付与され、ウインドウＷを表示すべき領域の画素に対しては表示メモリＵからのウインドウ表示メモリＤ２に応じた階調表示電位が付与されるようにすればよい。
【００５０】
次に、表示メモリＵに格納されているウインドウ表示データＤ２を表示画面全体に拡大して表示する場合について同じく図１に基づいて説明する。上記の通り、液晶パネル１０は、水平方向ｍ＝１６８画素×垂直方向ｎ＝８０画素の画素を有している。また、表示メモリＵは、水平方向Ｍ＝４２画素×垂直方向Ｎ＝２０画素分の表示データを格納できるものである。したがって、表示メモリＵが格納できる表示データは、液晶パネル１０が有する全画素の１／１６に相当し、ウインドウＷを普通に表示すると液晶パネル１０に対して水平方向および垂直方向それぞれ１／４のサイズになる。
【００５１】
表示メモリＵに格納されている表示データを用いて全画面表示を行うには、水平方向および垂直方向をそれぞれ４倍に拡大すればよい。このように表示メモリＵに格納されている表示データを拡大して液晶パネル１０に表示するコマンドをＭＰＵ１６が制御信号Ｃとして出力する。このコマンドにより、スタート番地が水平方向第１、垂直方向第１（以下、（１，１）と記す。）の画素Ｐ２のアドレスに設定される。さらに、このコマンドにより、Ｘアドレスデコーダ２６およびＹアドレスデコーダ２８に送られるクロック（図示せず）の周波数が、通常の１／４に設定される。これにより、表示メモリＵに格納されている１つのウインドウ表示データＤ２によって液晶パネル１０での水平方向４画素×垂直方向４画素が表示されることになり、表示メモリＵに格納されているウインドウ表示データＤ２によって液晶パネル１０の全画面を表示することができるようになる。この表示では、画質は粗くなるが、日付、時計、受信状況、メールの有無等の表示は簡単な表示であるため、このように拡大して表示する方が見やすくなる場合が多い。また、拡大の倍率は４倍に限らず、同じ手法で２倍等の他の倍率で拡大してもよい。図３は、表示メモリＵに格納されている表示データを用いた拡大表示の概念を表した概念図である。なお、液晶パネル１０の全画面に拡大する場合を除くと、スタート番地は（１，１）に限らない。
【００５２】
また、ウインドウＷ内に表示する内容は、単一のものに限らず複数の内容が切り換えられて表示されてもよい。このためには、図４に示す液晶表示装置３のような構成とすればよい。図４は、図１の液晶表示装置１の他の変形例としての液晶表示装置３の構成を表すブロック図であり、図１の液晶表示装置１と同等の機能を有する構成要素には同一の記号を付記している。
【００５３】
液晶表示装置３では、液晶表示装置１における表示メモリＵが第１領域Ｕ１、第２領域Ｕ２、…、第ｋ領域Ｕｋを有している。ウインドウＷに第１〜第ｋ領域Ｕ１〜Ｕｋの何れの領域に格納されている表示データに基づいた表示を行うかは、コマンドにより切り換えられる。なお、第１〜第ｋ領域Ｕ１〜Ｕｋに格納されている表示データに対応して、複数のウインドウＷを表示するようにしてもよい。
【００５４】
上述したウインドウＷの表示位置の変更や、ウインドウＷのサイズの変更、ウインドウＷの表示内容の切り換えは、ＭＰＵ１６からの制御信号Ｃに含まれるコマンドに基づいて例えば一定時間ごとに行えばよい。また、ソースドライバ１２内に別途タイマー（計時手段）を設けて、そのタイマーに基づいて切り換えを行ってもよい。
【００５５】
また、表示メモリＵ内の表示データは、ＭＰＵ１６により適時書き換えることができる。ウインドウ表示データＤ２は、例えばその内容が時計表示である場合、最も早い動作でも１秒に１回の変更でよく、表示メモリＵの書き換えも同じく１秒に１回行えばよい。また、ウインドウ表示データＤ２の内容が時計表示であれば、書き換えるデータ量も一般には少ない。このため、上述したように全画面表示にウインドウＷを重ねて表示する際に、全画面表示データＤ１が例えば通常のＴＶ表示のためのものであれば、垂直同期信号Ｖの帰線期間にウインドウ表示データＤ２の書き換えを行っても、時間的には充分間に合う。図１、図２および図４では、全画面表示データＤ１とウインドウ表示データＤ２とを別々にソースドライバ１２内へ入力するように図示しているが、同一の端子を利用し、全画面表示データＤ１における垂直同期信号Ｖの帰線期間に表示メモリＵ内のウインドウ表示データＤ２の書き換えを行ってもよい。このためには、入出力回路２２に切り換え手段を設けて、時分割でＭＰＵ１６からの信号を入力する入力端子を兼用すればよい。
【００５６】
ソースドライバ１２およびゲートドライバ１４は、それぞれ１チップで構成されていてもよいが、それぞれ複数のチップが縦続接続されて構成されてもよい。この場合、表示メモリＵが複数のチップに分割されて形成されてもよい。また、ソースドライバ１２およびゲートドライバ１４が１チップ内に形成されてもよい。表示メモリＵの容量が小さく、レイアウト面積が小さいため、ソースドライバ１２およびゲートドライバ１４を１チップ内に形成することも比較的容易である。
【００５７】
以上のように、本実施形態におけるソースドライバ１２を含む表示制御装置は、画像表示手段（液晶パネル１０）における表示を制御する表示制御装置であって、上記画像表示手段の画面の一部を用いたウインドウ表示を上記画像表示手段に行わせることが可能な表示制御装置である。そして、本表示制御装置は、ウインドウＷ内に表示すべき内容を示す表示データ（ウインドウ表示データＤ２）を格納する記憶手段（表示メモリＵ）と、全画面に表示すべき内容を示す表示データ（全画面表示データＤ１）を取り込む取込手段（データラッチ回路３０、シフトレジスタ３４、サンプリングメモリ３６）と、送られてくる表示データに基づいた出力信号を上記画像表示手段に対して出力する出力手段（ホールドメモリ４０、レベルシフタ４２、Ｄ／Ａ変換回路４４、出力回路４６）と、上記記憶手段からの表示データ、および上記取込手段からの表示データを切り換えて上記出力手段に送る切換手段（表示切換回路３８）とを備えている。
【００５８】
この構成では、外部の書込手段としてのＭＰＵ１６から例えば周期的に送られてくる全画面表示データＤ１を取込手段にて取り込み、取込手段が取り込んだ全画面表示データＤ１を切換手段が出力手段に送ることにより、画像表示手段において画面全体の表示を行うことができる。また、記憶手段に記憶されているウインドウ表示データＤ２を切換手段が出力手段に送ることにより、画像表示手段においてウインドウ表示を行うことができる。
【００５９】
この構成では、画面全体に表示すべき内容を示す全画面表示データＤ１を外部から取り込むため、この全画面表示データＤ１を格納するための大容量のメモリ等が不要になる。したがって、本表示制御装置を例えばチップ上に形成した場合でも、そのチップの大型化を抑えることができる。また、大容量のメモリ等が不要になると、その分メモリ等で消費される電力の低減を図ることができる。
【００６０】
また、ウインドウＷ内に表示すべき内容を示すウインドウ表示データＤ２を内部の記憶手段に格納しているため、待機モード等が設定されてＭＰＵ１６から全画面表示データＤ１が周期的に送られて来ないような場合にも、記憶手段に格納されているウインドウ表示データＤ２を用いてウインドウ表示を行うことができ、例えば必要最小限の内容をウインドウＷ内に表示することができる。
【００６１】
また、本表示制御装置では、ＭＰＵ１６からの制御信号Ｃに含まれるコマンドに基づいて、ウインドウ制御手段としての周辺回路部１８が、上記記憶手段からのウインドウ表示データＤ２と、そのウインドウ表示データＤ２に基づく出力信号が表示を行う表示画面上の位置との対応関係を、例えば表示メモリＵからのウインドウ表示データＤ２の読み出しタイミング、表示切換回路３８への書き込み開始段等により制御し、ウインドウＷの表示画面上での位置、サイズ等を変更することができる。
【００６２】
また、本表示制御装置は、上記記憶手段がウインドウＷ内に表示すべき内容を示すウインドウ表示データＤ２を複数種類格納していてもよい。これにより、上記切換手段へ送るウインドウ表示データＤ２の種類を変更することでウインドウＷ内の表示を変更することができる。
【００６３】
また、本表示制御装置は、書換手段としてのＭＰＵ１６を含み、ＭＰＵ１６が上記記憶手段に格納されているウインドウ表示データＤ２を書き換えてもよい。これにより、ウインドウＷ内に表示される内容を例えば定期的に変更することができる。
【００６４】
また、本表示制御装置は、背景設定手段（背景表示データ格納段Ｕａまたはソース側電極エリア制御回路５４）を備え、上記画像表示手段にウインドウ表示を行わせる際に、ウインドウ外を単一色表示、モザイク表示、またはブロック表示に設定してもよい。単一色表示、モザイク表示、またはブロック表示は、比較的単純で小規模な回路構成により実現することが可能である。したがって、背景設定手段を備えることにより、回路規模の顕著な大型化を招来することなく、ウインドウ表示の際にウインドウＷ外を所定の表示状態とすることができる。
【００６５】
また、本表示制御装置は、取込停止手段としてのＭＰＵ１６を含み、例えば待機モード時において、ＭＰＵ１６の制御により上記取込手段による全画面表示データＤ１の取り込みを停止させるようになっていてもよい。これにより、不要な全画面表示データＤ１の取り込みによる電力消費を削減することができる。
【００６６】
本表示制御装置と、上記画像表示手段としての液晶パネル１０を用いて表示装置としての液晶表示装置１〜３を構成することにより、表示装置の小型化、小電力化を図ることができる。さらに、本表示装置を用いて携帯電話機を構成することにより、携帯電話機の小型化および小電力化を図りつつ、操作時等では全画面表示を行ってより多くの情報が表示可能となり、待ち受け時等ではウインドウ表示を行って必要最小限の情報は表示可能となる。
【００６７】
【発明の効果】
以上のように、本発明に係る表示制御装置は、ウインドウ内に表示すべき内容を示す表示データを格納する記憶手段と、画面全体に表示すべき内容を示す表示データを取り込む取込手段と、送られてくる表示データに基づいた出力信号を表示制御装置画像表示手段に対して出力する出力手段と、表示制御装置記憶手段からの表示データ、および表示制御装置取込手段からの表示データを切り換えて表示制御装置出力手段に送る切換手段とを備える構成である。
【００６８】
上記の構成では、画面全体に表示すべき内容を示す表示データを外部から取り込むため、この表示データを格納するための大容量のメモリ等が不要になる。したがって、本表示制御装置を例えばチップ上に形成した場合でも、そのチップの大型化を抑えることができる。また、大容量のメモリ等が不要になると、その分メモリ等で消費される電力の低減を図ることができる。
【００６９】
また、ウインドウ内に表示すべき内容を示す表示データを内部の記憶手段に格納しているため、外部から表示データが周期的に送られて来ないような場合にも、記憶手段に格納されている表示データを用いてウインドウ表示を行うことができる。したがって、本表示制御装置の周辺装置が例えば待機モード等に設定されてその機能が一部停止した場合でも、例えば必要最小限の内容をウインドウ内に表示することができる。
【００７０】
本発明に係る表示制御装置は、上記の表示制御装置において、さらに、表示制御装置記憶手段が、ウインドウ内に表示すべき内容を示す表示データを複数種類格納していることが好ましい。これにより、表示制御装置表示データの種類を変更することでウインドウ内の表示を変更することができる。
【００７１】
本発明に係る表示制御装置は、上記の表示制御装置において、さらに、表示制御装置記憶手段に格納されている表示データを書き換える書換手段を備えることが好ましい。これにより、ウインドウ内に表示される内容を例えば定期的に変更することができる。
【００７２】
本発明に係る表示制御装置は、上記の表示制御装置において、さらに、表示制御装置画像表示手段にウインドウ表示を行わせる際に、ウインドウ外を単一色表示、モザイク表示、またはブロック表示に設定するための背景設定手段を備えることが好ましい。これにより、回路規模の顕著な大型化を招来することなく、ウインドウ表示の際にウインドウ外を所定の表示状態とすることができる。
【００７３】
本発明に係る表示制御装置は、上記の表示制御装置において、さらに、表示制御装置取込手段による表示データの取り込みを停止させる取込停止手段を備えることが好ましい。これにより、画像表示手段においてウインドウ表示を行わせる際に、取込手段による表示データの取り込みを取込停止手段により停止させることで、不要な表示データの取り込みによる電力消費を削減することができる。
【００７４】
本発明に係る表示装置は、上記表示制御装置と、上記画像表示手段とを備えている。これにより、上述した効果により表示装置の小型化、小電力化を図ることができる。
【００７５】
また、本発明に係る携帯電話機は、上記の表示装置を備えている。これにより、携帯電話機の小型化および小電力化を図りつつ、操作時等では全画面表示を行ってより多くの情報が表示可能となり、待ち受け時等ではウインドウ表示を行って必要最小限の情報は表示可能となる。
【図面の簡単な説明】
【図１】本発明の実施の一形態に係る液晶表示装置の構成を表すブロック図である。
【図２】図１の液晶表示装置の一変形例の構成を表すブロック図である。
【図３】表示メモリに格納されている表示データを用いた拡大表示の概念を表した概念図である。
【図４】図１の液晶表示装置の他の変形例の構成を表すブロック図である。
【図５】従来の表示装置の構成の一例を示すブロック図である。
【符号の説明】
１    液晶表示装置
２    液晶表示装置
３    液晶表示装置
１０    液晶パネル
１２    ソースドライバ
１４    ゲートドライバ
１６    ＭＰＵ
１８    周辺回路部
２２    入出力回路
２４    コマンドデコーダ
２６    Ｘアドレスデコーダ
２８    Ｙアドレスデコーダ
３０    データラッチ回路
３４    シフトレジスタ
３６    サンプリングメモリ
３８    表示切換回路
４０    ホールドメモリ
４２    レベルシフタ
４４    Ｄ／Ａ変換回路
４６    出力回路
４８    シフトレジスタ
５０    レベルシフタ
５２    出力回路
５４    ソース側電極エリア制御回路
Ｕ    表示メモリ
Ｕａ  背景表示データ格納段
【図１】
0003703731.tif 000002
【図２】
0003703731.tif 000003
【図３】
0003703731.tif 000004
【図４】
0003703731.tif 000005
【図５】
0003703731.tif 000006